【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
質量分析計においてイオンを熱化する方法であって、前記質量分析計がイオン源、イオントラップ、および検出器領域を有し、前記方法が、
イオン源内の圧力を約１０−４ｍｂａｒより小さく維持しながらイオン源内でイオンを生成するステップと、
１０−３ｍｂａｒを超えるピーク圧力を実現するためにガスをパルス化してイオントラップ内に導入し、イオン源からイオントラップの中に外部的にイオンを注入するステップと、
検出器領域内の圧力を約１０−４ｍｂａｒより小さく維持しながらイオントラップから検出器領域の中にイオンを放出するステップと
を含む、方法。
【請求項２】
イオントラップ内の圧力がガスパルスの発生から約４０ｍｓ以内にピーク圧力の２５％まで低下する、請求項１に記載の方法。
【請求項３】
ガスパルスがわずか４０ｍｓの間にイオントラップ内に１０−３ｍｂａｒを超える圧力を生成する、請求項１または２に記載の方法。
【請求項４】
ピーク圧力の２５％におけるガスパルスの幅がわずか３０ｍｓである、請求項１から３のいずれか一項に記載の方法。
【請求項５】
イオントラップ内でピーク圧力に達するのに要する時間がガスパルスの発生から５ｍｓ以内である、請求項１から４のいずれか一項に記載の方法。
【請求項６】
イオントラップの外部の圧力が、イオントラップ内部が高圧の期間中に約１０−４ｍｂａｒより小さく保たれる、請求項１から５のいずれか一項に記載の方法。
【請求項７】
イオントラップ内のイオンを捕集することを含む、請求項１から６のいずれか一項に記載の方法。
【請求項８】
イオントラップ内の圧力がイオンの熱化後に１０−４ｍｂａｒ未満に低下される、請求項１から７のいずれか一項に記載の方法。
【請求項９】
イオントラップが差動排気されるイオントラップ容器内に設置され、トラップ容器が、ガスがガス入口システムからイオントラップに供給される際に通るガス入口ポート、ガスが真空システムの動作によってイオントラップから除去される際に通るガス出口ポート、およびイオンがイオントラップに入る際に通るイオンオリフィスを含み、トラップ容器が入口イオンオリフィスと出口イオンオリフィスを含み、イオンをイオントラップの中に注入するステップが、入口イオンオリフィスを通じてイオンを注入することを含み、方法が、出口イオンオリフィスを通じてイオントラップからイオンを放出するステップを含み、ガス出口ポートが真空システムに接続され、真空がイオンの熱化中にイオントラップに適用され、真空システムが１０〜１００Ｌｓ−１の範囲の真空排気速度を提供する真空装置を含む、請求項１から８のいずれか一項に記載の方法。
【請求項１０】
ガス入口ポートが、ガス入口弁を含むガス入口システムに接続され、ガス入口弁の開放時間はイオントラップ内で所望の圧力プロファイルを得るように制御される、請求項９に記載の方法。
【請求項１１】
ガス入口システムが、ガス入口弁に０．１〜１０ｂａｒの範囲の圧力を提供するガス源を含む、請求項１０に記載の方法。
【請求項１２】
イオントラップ内のイオンを熱化するためにイオントラップに複数のガスパルスを提供することを含む、請求項１から１１のいずれか一項に記載の方法。
【請求項１３】
イオン解離実験の一部として、イオンが熱化された後に第２のガスをパルス化してイオントラップに導入するステップを含む、請求項１から１２のいずれか一項に記載の方法。
【請求項１４】
イオンの注入および熱化を通して背景ガスをイオントラップに連続的に供給するステップを含む、請求項１から１３のいずれか一項に記載の方法。
【請求項１５】
イオントラップ内の圧力が１０−３ｍｂａｒを超えるときイオンがイオントラップに入るように、イオンの生成と熱化ガスパルスとを連動するステップを含み、イオントラップ内部の圧力がピーク圧力の少なくとも８０％にあるときイオンがイオントラップに入る、請求項１から１４のいずれか一項に記載の方法。
【請求項１６】
イオントラップ内部の圧力が上昇しているとき、イオンがイオントラップに入る、請求項１５に記載の方法。
【請求項１７】
イオントラップ内部の圧力が実質的にピーク圧力にあるとき、イオンがイオントラップに入る、請求項１５に記載の方法。
【請求項１８】
質量分析計がＭＡＬＤＩ  ＱＩＴ  ＭＳまたはＭＡＬＤＩ  ＱＩＴ  ＴＯＦ  ＭＳである、請求項１から１７のいずれか一項に記載の方法。
【請求項１９】
イオントラップ内のイオンを熱化する方法であって、
ガスをパルス化してイオントラップの中に導入し、１０−３ｍｂａｒを超えるピーク圧力を得るためにガスをイオントラップから排気するステップと、
イオンをイオントラップの中に注入するステップであって、イオントラップの圧力がガスパルスの発生から約４０ｍｓ以内にピーク圧力の約２５％に戻る、イオンをイオントラップの中に注入するステップと
を含む、方法。
【請求項２０】
イオントラップ内のイオンを熱化する方法であって、
ガスをパルス化してイオントラップの中に導入し、１０−３ｍｂａｒを超えるピーク圧力を得るためにガスをイオントラップから排気するステップと、
イオンをイオントラップの中に注入するステップであって、ピーク圧力の２５％におけるガスパルスの幅がわずか３０ｍｓである、イオンをイオントラップに注入するステップと
を含む、方法。
【請求項２１】
イオン源、イオントラップ、および検出器領域を有する質量分析計を構成する方法であって、使用中にイオントラップ内部の圧力が一時的に１０−３ｍｂａｒを超え、その間にイオン源および検出器領域内において約１０−４ｍｂａｒより小さい圧力を維持するように、イオントラップの中に注入されるガスパルスの期間を選択するステップを含む、方法。
【請求項２２】
質量分析計内のイオンを熱化する装置であって、前記質量分析計が、イオン源、イオントラップ、および検出器領域を有し、装置が、イオントラップ圧力制御手段を含み、該イオントラップ圧力制御手段が、トラップに入るイオンが１０−３ｍｂａｒを超える圧力を受け、その間にイオン源および検出器領域内を約１０−４ｍｂａｒ未満の圧力に維持するように、ガスをパルス化してイオントラップの中に導入することによって、イオントラップ内で１０−３ｍｂａｒを超える圧力を使用中に発生する、装置。
【請求項２３】
イオントラップ圧力制御手段がイオントラップを設置可能なトラップ容器を含み、トラップ容器が、ガス入口ポート、ガス出口ポート、およびイオンがイオントラップに入る際に通る少なくとも１つのイオンオリフィスを含み、イオンオリフィスの直径が０．５〜３ｍｍの範囲にある、請求項２２に記載の装置。
【請求項２４】
トラップ容器が、イオンがイオントラップを出て検出器領域に向かう際に通る出口イオンオリフィスを含み、出口イオンオリフィスが０．５〜３ｍｍの範囲の直径を有する、請求項２３に記載の装置。
【請求項２５】
ガス出口ポートの断面積が少なくとも５ｃｍ２である、請求項２３または２４に記載の装置。
【請求項２６】
ガス出口ポートが、ガス出口ポートを真空装置に接続する真空管路に接続され、真空装置が１０〜１００Ｌｓ−１の排気速度を提供する、請求項２３から２５のいずれか一項に記載の装置。
【請求項２７】
ガス入口ポートが、ガス入口弁に結合されたガス入口管路に接続され、ガス入口管路がガス入口ポートをガス入口システムに接続しており、イオントラップ内のピーク圧力が１０−３ｍｂａｒを超えイオン源および検出器領域内の圧力が１０−４ｍｂａｒを超えないように、ガス入口弁がガス入口システムからイオントラップへのガスの流れを制御するように作動し、ガス入口弁の前面にある弁オリフィスが５〜３００μｍの範囲にある直径を有する、請求項２３から２６のいずれか一項に記載の装置。
【請求項２８】
イオントラップ圧力制御手段は、イオントラップ内のピーク圧力が１０−３ｍｂａｒを超えイオン源および検出器領域内の圧力が１０−４ｍｂａｒを超えないように、ガスパルスの持続時間を制御するパルスコントローラを含む、請求項２２から２７のいずれか一項に記載の装置。
【請求項２９】
イオントラップ圧力制御手段は、イオントラップ内部の圧力が１０−３ｍｂａｒを超えるときイオンがイオントラップに入るように、イオン生成とガスパルスを同期化する同期化手段を含む、請求項２２から２８のいずれか一項に記載の装置。
【請求項３０】
請求項２２から２９のいずれか一項に記載の装置を有する、質量分析計。
【請求項３１】
質量分析計がＭＡＬＤＩ  ＱＩＴ  ＭＳまたはＭＡＬＤＩ  ＱＩＴ  ＴＯＦ  ＭＳである、請求項３０に記載の質量分析計。
【請求項３２】
イオン源、イオントラップ、および検出器領域を有する質量分析計を変更する方法であって、
請求項２２から２９のいずれか一項に記載のイオントラップ圧力制御手段を設定するステップを含む、方法。